(57)【要約】【課題】バンパリインフォースの後方にラジエータを含むラジエータユニットを配するフロント構造では、車両の衝突時、バンパリインフォースが後退し、サイドメンバーに保持されたラジエータユニットとバンパリインフォースとが干渉し、コンデンサーやラジエータを損傷させる。【解決手段】ラジエータユニット（２）を取付部材（１０）を介して又は直接バンパリインフォース（１）に固定する。或いは、ラジエータユニット（２）をクラッシュボックス（３）に取り付け、車両の衝突時、バンパリインフォース（１）とラジエータユニット（２）との間の第１のスペース（Ｓ１）をそのまま維持した形で、バンパリインフォース（１）とラジエータユニット（２）とを後退させる。【選択図】          図２
2004322837.tif 000002
【特許請求の範囲】
【請求項１】
車両の車幅方向に延在するバンパリインフォースの後方であってエンジン前方のスペースに配されかつ少なくともコンデンサー、ラジエータを保持するラジエータサポートを備えるラジエータユニットを、車両衝突時後方へ移動する部材に固定したことを特徴とする車両のフロント構造。
【請求項２】
移動部材がバンパリインフォース又はバンパリインフォースに直接取り付けた部材である請求項１記載の車両のフロント構造。
【請求項３】
移動部材がバンパリインフォースとサイドメンバーとの間のクラッシュボックスである請求項１記載の車両のフロント構造。
【請求項４】
ラジエータユニットを構成するラジエータサポートを移動部材に固定している請求項２又は３記載の車両のフロント構造。
【発明の詳細な説明】
【０００１】
【発明の属する技術分野】
本発明は、車両衝突時バンパリインフォースとエアコン用コンデンサー及びラジエータとの間の寸法を保つようにした車両のフロント構造に関する。
【０００２】
【従来の技術】
車両のエンジン前方は、エアコン用コンデンサー、ラジエータ、ラジエータサポート、ファンモータ付きシュラウドを少なくとも備えるラジエータユニットを配するフロント構造が採用されている。
このラジエータユニットは、サイドメンバーに固定されたブラケットにラジエータサポートをボルト止めすることで、車体側に支持している。
【０００３】
実車のフロント構造では、バンパリインフォースとコンデンサーとの間には第１のスペースを、又、ラジエータユニットとエンジンとの間には第２のスペースを確保し、ラジエータユニットがバンパリインフォースやエンジンに、車両走行時の振動等により接触するのを阻止している。
【０００４】
【特許文献１】
特開２００１−２１９８６９号公報
【０００５】
【発明が解決しようとする課題】
車両が衝突すると、バンパリインフォースに作用する荷重がバンパリインフォース及びクラッシュボックス（バンパリインフォースとサイドメンバーとの間に配される）を変形させ、バンパリインフォースがサイドメンバーに保持されたラジエータユニットのコンデンサーやラジエータに接近し、やがては干渉し、コンデンサーやラジエータを損傷させる。
【０００６】
このような事故を防ぐため、バンパリインフォースとコンデンサーとの間の第１のスペースを大きくとり、バンパリインフォースやコンデンサーへの干渉を阻止することが考えられるが、これは不必要にフロントオーバハングを長くすることになり好ましくない。
【０００７】
バンパリインフォースのコンデンサーやラジエータへの干渉によるコンデンサーやラジエータの損傷は、コンデンサーやラジエータの交換という事態になる。コンデンサーやラジエータは高価な部品でありユーザーの事故時の経済的負担を大きくしている。
【０００８】
それ故に、本発明は、前述した従来技術の不具合を解消させることを解決すべき課題とする。
【０００９】
【課題を解決するための手段】
本発明は、前述した課題を解決するために、基本的には、ラジエータユニットを車両衝突時後方へ移動する部材に固定する手段を採用する。
【００１０】
この手段の採用は、車両の衝突があり、バンパリインフォースに荷重が作用し、バンパリインフォースが後退してもラジエータユニットもこれに追従し、バンパリインフォースとラジエータユニットとの間の第１のスペースはそのまま確保され、バンパリインフォースとコンデンサーやラジエータとの干渉はない。
第１のスペースの確保は、ラジエータユニットとエンジンとの間の第２のスペースを小さくさせ、場合によっては、ラジエータユニットを構成するシュラウドとエンジンとの干渉を招くことになる。しかし、シュラウドの損傷による交換は、コンデンサーやラジエータの交換に比し、低価格でありユーザーの経済的負担は小さい。
【００１１】
本発明によれば、車両の車幅方向に延在するバンパリインフォースの後方であってエンジン前方のスペースに配されかつ少なくともコンデンサー、ラジエータを保持するラジエータサポートを備えるラジエータユニットを、車両衝突時後方へ移動する部材に固定したことを特徴とする車両のフロント構造が提供される。
【００１２】
【発明の実施の形態】
本発明の好ましい実施の形態を図１を参照して説明する。
車両のフロント構造は、車両の車幅方向に延在するバンパリインフォース１の後方にラジエータユニット２を有するもので、バンパリインフォース１は、クラッシュボックス３を介してサイドメンバー４に固定される。
【００１３】
ラジエータユニット２は、エンジン（図示なし）の前方に位置し、ラジエータサポート５を有す。アルミニウム合金の押出形材或いはスチール材のプレスものからなるラジエータサポート５は、正面視Ｕ字状のサポートロア６と平面視Ｕ字状のサポートアッパー７とからなる。
ラジエータサポート５は、エアコン用コンデンサー８、ラジエータ９を保持し、さらには、ファンモータ付きのシュラウド（図示なし）を保持し、ラジエータユニット２を構成する。
【００１４】
バンパリインフォース１、ラジエータユニット２、クラッシュボックス３、サイドメンバー４は公知構成のものが用いられる。バンパリインフォース１の後面とラジエータユニット２の前面との間には第１のスペースＳ１、ラジエータユニット２とエンジンとの間には第２のスペースＳ２が確保される（図２参照）。
【００１５】
図２と図３を参照する。ラジエータサポート５は、バンパリインフォース１の後面に固定されかつラジエータサポート５の対向する側部に沿うよう延在する断面チャンネル状の取付部材１０に固定される。
取付部材１０の長さについては特に限定されないが、バンパリインフォース１の上下方向の寸法より大とする。取付部材１０の断面形状は図示例に限定されることはない。
図２に示す例では、ラジエータサポート５の側部をバンパリインフォース１に取付部材１０を介して固定したが、ラジエータサポート５の底部を対の取付部材１０を介してバンパリインフォース１に固定してもよい。
【００１６】
図３を参照する。車両が衝突し、バンパリインフォース１に荷重Ｆが作用すると、クラッシュボックス３がつぶれ、バンパリインフォース１は後退する。ラジエータユニット２がバンパリインフォース１に取付部材１０を介して固定されているので、ラジエータユニット２は、バンパリインフォース１とともに後退し、第１のスペースＳ１は衝突前の寸法を保つ。このため、バンパリインフォース１がラジエータユニット２に干渉することはない。
ラジエータユニット２の後退は、第２のスペースＳ２を小さくするがエンジンとの干渉はない。かりに、ラジエータユニット２のシュラウドがエンジンと干渉しても被害額は大きくならない。
【００１７】
図４と図５に示す例は、バンパリインフォース１に、直接、ラジエータサポート５の対向側部をボルト止めしたものである。
本例においても、車両衝突によりバンパリインフォース１が後退すると、ラジエータユニット２もこの後退に追従するので、第１のスペースＳ１はそのまま維持され、バンパリインフォース１とラジエータユニット２との干渉はない。
【００１８】
図６と図７に示す例は、ラジエータサポート５の対向側部をクラッシュボックス３の側面部にボルト止めしたものである。クラッシュボックスは、ラジエータサポート５の側部に沿う上下に対のフランジ１１を有し、これらフランジ１１，１１をラジエータサポート５の側部にボルト１２，１２を用いて固定する。
本例においても、車両衝突によりクラッシュボックス３がつぶれ、バンパリインフォース１が後退すると、第１のスペースＳ１が多少小さくなることがあったとしても、ラジエータユニット２はバンパリインフォース１とともに後退し、バンパリインフォース１がラジエータユニット２を干渉することはない。
【００１９】
本発明によれば、車両衝突時、ラジエータユニットがバンパリインフォースとともに後退し、その間のスペースを維持するので、バンパリインフォースのラジエータユニットへの干渉はない。
【図面の簡単な説明】
【図１】本発明の一例のフロント構造を示す斜視図である。
【図２】本発明によるラジエータサポートの取付例を示す平面図である。
【図３】図２に示す例の車両衝突時の状態を示す平面図である。
【図４】ラジエータサポートをバンパリインフォースに直接取り付けた例を示す平面図である。
【図５】図４の矢視Ｖ−Ｖより見た断面図である。
【図６】ラジエータサポートをクラッシュボックスに固定した例を示す平面図である。
【図７】図６の矢視ＶＩＩ−ＶＩＩより見た断面図である。
【符号の説明】
１    バンパリインフォース
２    ラジエータユニット
３    クラッシュボックス
４    サイドメンバー
５    ラジエータサポート
８    コンデンサー
９    ラジエータ
１０    取付部材
１１    フランジ
【図１】
2004322837.tif 000003
【図２】
2004322837.tif 000004
【図３】
2004322837.tif 000005
【図４】
2004322837.tif 000006
【図５】
2004322837.tif 000007
【図６】
2004322837.tif 000008
【図７】
2004322837.tif 000009